(57)【要約】【課題】  フォトムービーのプリントすべきフレームの抽出・指定を短時間で行わせる。【解決手段】  プリント注文受付装置２は、フォトムービーの元となった画像を表示するモニタ１７と、プリントすべきフレームを構成する画像を選択させる操作部１３と、シナリオに基づいて、選択された画像を構成要素としたフレームをフォトムービーの中から抽出するフレーム抽出部１４と、抽出したフレーム、または抽出したフレームを含むフォトムービーのシーンをモニタ１７に表示させる表示制御部１２とを備え、操作部１３によりプリントすべきフレームを指定させる。フォトムービーを全編再生してフレームを指定させる場合と比べて、フレームの指定に掛かる時間を格段に短縮化させることができる。【選択図】        図１
2005328502.tif 000002
【特許請求の範囲】
【請求項１】
画像の表示形態を規定するシナリオに則って前記画像を編集することにより生成されるフォトムービーのフレームのプリント注文を受け付ける方法であって、
前記フォトムービーの元となった画像を表示して、
プリントすべきフレームを構成する画像を選択させ、
前記シナリオに基づいて、選択された画像を構成要素としたフレームを前記フォトムービーの中から抽出し、
抽出したフレーム、または抽出したフレームを含む前記フォトムービーのシーンを表示して、
プリントすべきフレームを指定させることを特徴とするプリント注文受付方法。
【請求項２】
前記シナリオには、フレームを構成する画像の識別情報と、フォトムービー中のフレームの位置を示すタイムスタンプとが各フレーム毎に格納されており、
前記選択された画像の識別情報を元に、前記選択された画像を構成要素とするフレームのタイムスタンプを前記シナリオから取得し、この取得したタイムスタンプに基づいて、前記抽出を行うことを特徴とする請求項１に記載のプリント注文受付方法。
【請求項３】
前記画像、前記シナリオ、および前記フォトムービーは、同一の記録媒体に記録されており、
前記記録媒体から前記画像、前記シナリオ、および前記フォトムービーを読み込むことを特徴とする請求項１または２に記載のプリント注文受付方法。
【請求項４】
画像の表示形態を規定するシナリオに則って前記画像を編集することにより生成されるフォトムービーのフレームのプリント注文を受け付ける装置であって、
前記フォトムービーの元となった画像を表示する表示手段と、
プリントすべきフレームを構成する画像を選択させる操作手段と、
前記シナリオに基づいて、選択された画像を構成要素としたフレームを前記フォトムービーの中から抽出するフレーム抽出手段と、
抽出したフレーム、または抽出したフレームを含む前記フォトムービーのシーンを前記表示手段に表示させる表示制御手段とを備え、
前記操作手段によりプリントすべきフレームを指定させることを特徴とするプリント注文受付装置。
【請求項５】
前記シナリオには、フレームを構成する画像の識別情報と、フォトムービー中のフレームの位置を示すタイムスタンプとが各フレーム毎に格納されており、
前記フレーム抽出手段は、前記選択された画像の識別情報を元に、前記選択された画像を構成要素とするフレームのタイムスタンプを前記シナリオから取得し、この取得したタイムスタンプに基づいて、前記抽出を行うことを特徴とする請求項４に記載のプリント注文受付装置。
【請求項６】
前記画像、前記シナリオ、および前記フォトムービーは、同一の記録媒体に記録されており、
前記記録媒体から前記画像、前記シナリオ、および前記フォトムービーを読み込むデータ読み込み手段を備えたことを特徴とする請求項４または５に記載のプリント注文受付装置。
【請求項７】
画像の表示形態を規定するシナリオに則って前記画像を編集することにより生成されるフォトムービーのフレームの中から、プリントすべきフレームを抽出する方法であって、
前記フォトムービーの元となった画像を表示して、
プリントすべきフレームを構成する画像を選択させ、
前記シナリオに基づいて、選択された画像を構成要素とするフレームを前記フォトムービーの中から抽出することを特徴とするフレーム抽出方法。
【請求項８】
前記シナリオには、フレームを構成する画像の識別情報と、フォトムービー中のフレームの位置を示すタイムスタンプとが各フレーム毎に格納されており、
前記選択された画像の識別情報を元に、前記選択された画像を構成要素とするフレームのタイムスタンプを前記シナリオから取得し、この取得したタイムスタンプに基づいて、前記抽出を行うことを特徴とする請求項７に記載のフレーム抽出方法。
【請求項９】
前記画像、前記シナリオ、および前記フォトムービーは、同一の記録媒体に記録されており、
前記記録媒体から前記画像、前記シナリオ、および前記フォトムービーを読み込むことを特徴とする請求項７または８に記載のフレーム抽出方法。
【請求項１０】
画像の表示形態を規定するシナリオに則って前記画像を編集することにより生成されるフォトムービーのフレームの中から、プリントすべきフレームを抽出する装置であって、
前記フォトムービーの元となった画像を表示する表示手段と、
プリントすべきフレームを構成する画像を選択させる操作手段と、
前記シナリオに基づいて、選択された画像を構成要素とするフレームを前記フォトムービーの中から抽出するフレーム抽出手段とを備えたことを特徴とするフレーム抽出装置。
【請求項１１】
前記シナリオには、フレームを構成する画像の識別情報と、フォトムービー中のフレームの位置を示すタイムスタンプとが各フレーム毎に格納されており、
前記フレーム抽出手段は、前記選択された画像の識別情報を元に、前記選択された画像を構成要素とするフレームのタイムスタンプを前記シナリオから取得し、この取得したタイムスタンプに基づいて、前記抽出を行うことを特徴とする請求項１０に記載のフレーム抽出装置。
【請求項１２】
前記画像、前記シナリオ、および前記フォトムービーは、同一の記録媒体に記録されており、
前記記録媒体から前記画像、前記シナリオ、および前記フォトムービーを読み込むデータ読み込み手段を備えたことを特徴とする請求項１０または１１に記載のフレーム抽出装置。
【発明の詳細な説明】
【技術分野】
【０００１】
本発明は、画像の表示形態を規定するシナリオに則って画像を編集することにより生成されるフォトムービー（商標）のフレームのプリント注文を受け付ける方法および装置、並びにフォトムービーのフレームの中から、プリントすべきフレームを抽出する方法および装置に関する。
【背景技術】
【０００２】
従来、画像の表示形態が規定されたシナリオに則って画像を編集し、これにより生成されたフォトムービーを出力する動画像合成装置が提案されている（特許文献１参照）。このような装置では、ユーザーが製作意図に応じて作成したシナリオに基づいて、画像の選択、変形（拡大・縮小、回転など）、変倍、マスク（画像の一部切り出し、貼り付け）、移動、合成などの各種処理を施し、フォトムービーを生成している。
【０００３】
また、フォトムービーの１フレームを構成する複数の画像をプリントするプリント注文装置が提案されている（特許文献２参照）。この装置では、複数の画像と、フォトムービーの再生表示中の各フレームの再生位置との関係を示す情報から、フォトムービーのフレームと、その元となる画像との対応をとることができるようにしている。
【特許文献１】特開２００３−２８３９９４号公報
【特許文献２】特開２００４−６４２８５号公報
【発明の開示】
【発明が解決しようとする課題】
【０００４】
しかしながら、特許文献２に記載のプリント注文装置では、プリントすべきフレームを指定する際に、フォトムービーの全編を再生表示しなければならなかった。このため、プリントすべきフレームが再生表示されるまで顧客は待たねばならず、フレームの指定に時間が掛かるという問題があった。
【０００５】
本発明は、上記課題を鑑みてなされたものであり、フォトムービーのプリントすべきフレームの抽出・指定を短時間で行うことができるプリント注文受付方法および装置、並びにフレーム抽出方法および装置を提供することを目的とする。
【課題を解決するための手段】
【０００６】
上記目的を達成するために、請求項１に記載の発明は、画像の表示形態を規定するシナリオに則って前記画像を編集することにより生成されるフォトムービーのフレームのプリント注文を受け付ける方法であって、前記フォトムービーの元となった画像を表示して、プリントすべきフレームを構成する画像を選択させ、前記シナリオに基づいて、選択された画像を構成要素としたフレームを前記フォトムービーの中から抽出し、抽出したフレーム、または抽出したフレームを含む前記フォトムービーのシーンを表示して、プリントすべきフレームを指定させることを特徴とする。
【０００７】
なお、前記シナリオには、フレームを構成する画像の識別情報と、フォトムービー中のフレームの位置を示すタイムスタンプとが各フレーム毎に格納されており、前記選択された画像の識別情報を元に、前記選択された画像を構成要素とするフレームのタイムスタンプを前記シナリオから取得し、この取得したタイムスタンプに基づいて、前記抽出を行うことが好ましい。
【０００８】
また、前記画像、前記シナリオ、および前記フォトムービーは、同一の記録媒体に記録されており、前記記録媒体から前記画像、前記シナリオ、および前記フォトムービーを読み込むことが好ましい。
【０００９】
請求項４に記載の発明は、画像の表示形態を規定するシナリオに則って前記画像を編集することにより生成されるフォトムービーのフレームのプリント注文を受け付ける装置であって、前記フォトムービーの元となった画像を表示する表示手段と、プリントすべきフレームを構成する画像を選択させる操作手段と、前記シナリオに基づいて、選択された画像を構成要素としたフレームを前記フォトムービーの中から抽出するフレーム抽出手段と、抽出したフレーム、または抽出したフレームを含む前記フォトムービーのシーンを前記表示手段に表示させる表示制御手段とを備え、前記操作手段によりプリントすべきフレームを指定させることを特徴とする。
【００１０】
なお、前記シナリオには、フレームを構成する画像の識別情報と、フォトムービー中のフレームの位置を示すタイムスタンプとが各フレーム毎に格納されており、前記フレーム抽出手段は、前記選択された画像の識別情報を元に、前記選択された画像を構成要素とするフレームのタイムスタンプを前記シナリオから取得し、この取得したタイムスタンプに基づいて、前記抽出を行うことが好ましい。
【００１１】
また、前記画像、前記シナリオ、および前記フォトムービーは、同一の記録媒体に記録されており、前記記録媒体から前記画像、前記シナリオ、および前記フォトムービーを読み込むデータ読み込み手段を備えることが好ましい。
【００１２】
請求項７に記載の発明は、画像の表示形態を規定するシナリオに則って前記画像を編集することにより生成されるフォトムービーのフレームの中から、プリントすべきフレームを抽出する方法であって、前記フォトムービーの元となった画像を表示して、プリントすべきフレームを構成する画像を選択させ、前記シナリオに基づいて、選択された画像を構成要素とするフレームを前記フォトムービーの中から抽出することを特徴とする。
【００１３】
なお、前記シナリオには、フレームを構成する画像の識別情報と、フォトムービー中のフレームの位置を示すタイムスタンプとが各フレーム毎に格納されており、前記選択された画像の識別情報を元に、前記選択された画像を構成要素とするフレームのタイムスタンプを前記シナリオから取得し、この取得したタイムスタンプに基づいて、前記抽出を行うことが好ましい。
【００１４】
また、前記画像、前記シナリオ、および前記フォトムービーは、同一の記録媒体に記録されており、前記記録媒体から前記画像、前記シナリオ、および前記フォトムービーを読み込むことが好ましい。
【００１５】
請求項１０に記載の発明は、画像の表示形態を規定するシナリオに則って前記画像を編集することにより生成されるフォトムービーのフレームの中から、プリントすべきフレームを抽出する装置であって、前記フォトムービーの元となった画像を表示する表示手段と、プリントすべきフレームを構成する画像を選択させる操作手段と、前記シナリオに基づいて、選択された画像を構成要素とするフレームを前記フォトムービーの中から抽出するフレーム抽出手段とを備えたことを特徴とする。
【００１６】
なお、前記シナリオには、フレームを構成する画像の識別情報と、フォトムービー中のフレームの位置を示すタイムスタンプとが各フレーム毎に格納されており、前記フレーム抽出手段は、前記選択された画像の識別情報を元に、前記選択された画像を構成要素とするフレームのタイムスタンプを前記シナリオから取得し、この取得したタイムスタンプに基づいて、前記抽出を行うことが好ましい。
【００１７】
また、前記画像、前記シナリオ、および前記フォトムービーは、同一の記録媒体に記録されており、前記記録媒体から前記画像、前記シナリオ、および前記フォトムービーを読み込むデータ読み込み手段を備えることが好ましい。
【発明の効果】
【００１８】
本発明のプリント注文受付方法および装置によれば、フォトムービーの元となった画像を表示手段に表示して、プリントすべきフレームを構成する画像を操作手段で選択させ、フレーム抽出手段により、シナリオに基づいて、選択された画像を構成要素としたフレームをフォトムービーの中から抽出し、表示制御手段により、抽出したフレーム、または抽出したフレームを含むフォトムービーのシーンを表示手段に表示して、操作手段によりプリントすべきフレームを指定させるので、フォトムービーのプリントすべきフレームの指定を短時間で行うことができる。
【００１９】
また、本発明のフレーム抽出方法および装置によれば、フォトムービーの元となった画像を表示手段に表示して、プリントすべきフレームを構成する画像を操作手段で選択させ、フレーム抽出手段により、シナリオに基づいて、選択された画像を構成要素とするフレームをフォトムービーの中から抽出するので、フォトムービーのプリントすべきフレームの抽出を短時間で行うことができる。
【発明を実施するための最良の形態】
【００２０】
図１において、本発明を適用したプリント注文受付装置２は、ＣＰＵ１０により全体を統括的に制御される。ＣＰＵ１０には、データ読み込み部１１、表示制御部１２、操作部１３、フレーム抽出部１４、およびメモリ１５が接続されている。このプリント注文受付装置２は、画像の表示形態を規定するシナリオに則って画像を編集することにより生成されるフォトムービーのフレームのプリント注文を受け付けるものである。
【００２１】
データ読み込み部１１は、複数の画像、テンプレート画像、シナリオ、およびフォトムービーが記録されたＤＶＤ（Digital Versatile Disk）などの記録媒体１６から、複数の画像、テンプレート画像、シナリオ、およびフォトムービーを読み込む。データ読み込み部１１で読み込まれたこれらのデータは、メモリ１５に記憶される。なお、画像は、デジタルカメラやカメラ付き携帯電話などの撮像装置や、写真フイルム、印画紙に記録された画像を光電的に読み取ることにより取得されたデジタル画像を含み、テンプレート画像は、フォトムービーの背景画像やマスク画像を含む。
【００２２】
図２に示すように、シナリオは、フォトムービーのフレームを構成する画像のファイル名（識別情報）と、階調補正値（輝度、コントラスト、γ補正値）、マスクの有無、変形パラメータ（拡大・縮小倍率、回転）、および移動パラメータ（ＸＹ座標）などの各種パラメータとが、フォトムービーの各フレーム毎に指定された形式となっている。なお、フォトムービーのフレームレートは、例えば１／６０秒に設定されている。
【００２３】
図１において、表示制御部１２には、モニタ１７が接続されている。表示制御部１２は、ＣＰＵ１０からの制御命令に応じて、モニタ１７の表示制御を行う。モニタ１７は、各種注文メニュー画面を表示するとともに、プリントすべきフレームを指定する際には、フォトムービーの元となった画像を表示する（図３参照）。また、モニタ１７は、詳しくは後述するように、フレーム抽出部１４で抽出したフレーム、または抽出したフレームを含むフォトムービーのシーンを表示する（図４参照）。
【００２４】
操作部１３は、キーボードやマウス、タッチパネルなどからなり、プリントすべきフレームを構成する画像を選択する際、プリントすべきフレームを指定する際、顧客の個人情報、プリントサイズ（Ｌサイズ、２Ｌサイズなど）、プリント枚数、プリント引き渡し日時を含む注文情報を入力する際に操作される。
【００２５】
フレーム抽出部１４は、操作部１３が操作されたことを検知して、選択された画像のファイル名を元に、選択された画像を構成要素とするフレームのタイムスタンプ（フォトムービー中のあるフレームの位置を示す情報）をシナリオから取得し、この取得したタイムスタンプに基づいて、選択された画像を構成要素とするフレームを抽出する。フレーム抽出部１４は、抽出結果をＣＰＵ１０に送信する。なお、タイムスタンプは、フォトムービーの生成時に、各フレーム毎にフォトムービーの再生表示中の再生位置と関連付けて付与されている。
【００２６】
メモリ１５は、プリント注文受付装置２を動作させるための各種プログラムやデータを記憶する。また、データ読み込み部１１で記憶媒体１６から読み込んだ各種データを記憶する。ＣＰＵ１０は、このメモリ１５に記憶されたプログラムやデータをメモリ１５から読み出し、各部の動作を制御する。
【００２７】
ＣＰＵ１０は、データ読み込み部１１で各種データを読み込んだ後、読み込んだ画像（テンプレート画像を含む）をモニタ１７に表示させる旨の制御命令を、表示制御部１２に送信する。表示制御部１２は、この制御命令に基づいて、例えば図３に示すようなウィンドウ３０をモニタ１７に表示させる。
【００２８】
ウィンドウ３０には、その下段３０ｂにフォトムービーの元となった画像のサムネイル画像が一覧表示される。また、上段３０ａには、操作部１３により選択された画像、および今までに選択された画像が表示される。顧客は、このウィンドウ３０を見ながら、操作部１３を操作して、「ＯＫ」ボタンを押すことにより、プリントすべきフレームを構成する画像を選択する。
【００２９】
また、ＣＰＵ１０は、フレーム抽出部１４から送信されたフレームの抽出結果に応じて、抽出したフレーム、または抽出したフレームを含むフォトムービーのシーンをモニタ１７に表示させる旨の制御命令を、表示制御部１２に送信する。表示制御部１２は、この制御命令に基づいて、例えば図４（ａ）、あるいは（ｂ）に示すようなウィンドウ４０ａ、４０ｂをモニタ１７に表示させる。
【００３０】
図４（ａ）において、ウィンドウ４０ａには、フレーム抽出部１４で抽出されたフレームのサムネイル画像が一覧表示される。あるいは、図４（ｂ）において、ウィンドウ４０ｂには、フレーム抽出部１４で抽出されたフレームを含むフォトムービーのシーンが表示される。顧客は、このウィンドウ４０ａ、または４０ｂを見ながら、操作部１３を操作して、プリントすべきフレームを指定する。
【００３１】
次に、上記構成を有するプリント注文受付装置２の作用について、図５のフローチャートを参照して説明する。まず、データ読み込み部１１にて、記録媒体１６に記録された複数の画像、テンプレート画像、シナリオ、およびフォトムービーが読み込まれ、メモリ１５に記憶される。
【００３２】
各種データの読み込み後、読み込んだ画像をモニタ１７に表示させる旨の制御命令が、ＣＰＵ１０から表示制御部１２に送信される。これにより、モニタ１７には、例えばウィンドウ３０のような態様で、プリントすべきフレームを構成する画像が表示される。
【００３３】
ウィンドウ３０が参照され、顧客により操作部１３が操作されて、プリントすべきフレームを構成する画像が選択されると、フレーム抽出部１４により、選択された画像のファイル名を元に、選択された画像を構成要素とするフレームのタイムスタンプがシナリオから取得される。そして、このタイムスタンプに基づいて、選択された画像を構成要素とするフレームが抽出される。
【００３４】
フレーム抽出部１４からの抽出結果を受けて、抽出されたフレーム、または抽出されたフレームを含むフォトムービーのシーンをモニタ１７に表示させる旨の制御命令が、ＣＰＵ１０から表示制御部１２に送信される。これにより、モニタ１７には、例えばウィンドウ４０ａ、あるいは４０ｂのような態様で、抽出されたフレーム、または抽出されたフレームを含むフォトムービーのシーンが表示される。
【００３５】
ウィンドウ４０ａ、あるいは４０ｂが参照され、顧客により操作部１３が操作されて、プリントすべきフレームが指定される。プリント指定されたフレームは、図示しないプリント装置にて、操作部１３から入力された注文情報に基づいてプリントされる。
【００３６】
上記のように、フォトムービーの元となった画像を表示して、顧客にプリントすべきフレームを指定させるので、フォトムービーを全編再生してフレームを指定させる場合と比べて、フレームの指定に掛かる時間を格段に短縮化させることができる。
【００３７】
なお、フォトムービーの元となった画像だけでなく、変形（拡大・縮小、回転など）、変倍、マスク（画像の一部切り出し、貼り付け）、移動、合成などの特殊効果の情報をシナリオから取得し、この情報を元にフレームの指定を行うようにしてもよい。
【００３８】
さらに、フォトムービーの生成時や編集時に、予めプリントすべきフレームを示すプリント候補フラグをシナリオに記述しておいてもよい。あるいは、周知の画像認識技術により、画像中の人物の顔を抽出して、例えば、その人物の顔がズームアップされているフレームのシナリオにプリント候補フラグを記述してもよい。これにより、フレームの指定に掛かる時間をさらに短縮化させることができる。
【００３９】
上記実施形態では、街頭のＤＰＥ店やコンビニエンスストアにプリント注文受付装置２を設置した態様を例示して説明したが、インターネットなどの通信ネットワークを介して、顧客の所有するパーソナルコンピュータから注文を受け付ける態様についても、本発明は適用することが可能である。
【図面の簡単な説明】
【００４０】
【図１】本発明を適用したプリント注文受付装置の構成を示す概略図である。
【図２】シナリオの形式を示す説明図である。
【図３】画像選択時にモニタに表示されるウィンドウの一例を示す図である。
【図４】フレーム指定時にモニタに表示されるウィンドウの一例を示す図であり、（ａ）はフレームを一覧表示する例、（ｂ）はフレームを含むシーンを表示する例をそれぞれ示す。
【図５】プリント注文受付装置の処理手順を示すフローチャートである。
【符号の説明】
【００４１】
２  プリント注文受付装置
１０  ＣＰＵ
１１  データ読み込み部
１２  表示制御部
１３  操作部
１４  フレーム抽出部
１６  記録媒体
１７  モニタ
３０、４０ａ、４０ｂ  ウィンドウ
【図１】
2005328502.tif 000003
【図２】
2005328502.tif 000004
【図３】
2005328502.tif 000005
【図４】
2005328502.tif 000006
【図５】
2005328502.tif 000007